(57)【要約】【課題】目視によることなく、簡単な構成で無線子機の正確な受信電波強度を音で容易に確認できる表示情報モニタ装置を提供する。【解決手段】複数のホトトランジスタ２ａ〜２ｎと選択スイッチ３と音源ドライブ回路４と音源部５とが設けられた本体１０ａを、無線子機１４の複数のＬＥＤ１ａ〜１ｎに複数のホトトランジスタ２ａ〜２ｎが対向するように無線子機１４に対して近接して配置する。無線子機１４のＬＥＤ１ａ〜１ｎが夫々点灯または消灯して、無線親機１３ａから受信した電波の受信強度を表示情報として表示すると、ホトトランジスタ２ａ〜２ｎが無線子機１４のＬＥＤ１ａ〜１ｎからの光を夫々受光する。上記ホトトランジスタ２ａ〜２ｎからの受光信号に基づいて制御信号出力部(選択スイッチ３と音源ドライブ回路４)が音出力制御信号を出力して、その音出力制御信号により無線子機１４の表示情報を表す音が音源部５から出力される。【選択図】図２
2011166575.tif 000002
【特許請求の範囲】
【請求項１】
無線親機と通信を行うと共に、上記無線親機から受信した電波の受信電波強度を表示情報として表示するために夫々が点灯または消灯する複数の表示部を有する無線子機の上記複数の表示部からの光を夫々受光する複数の受光部と、
上記複数の受光部からの受光信号に基づいて音出力制御信号を出力する制御信号出力部と、
上記制御信号出力部からの上記音出力制御信号により上記無線子機の複数の表示部により表示された上記表示情報を表す音を出力する音源部と、
上記複数の受光部と上記制御信号出力部と上記音源部とが設けられ、上記無線子機の上記複数の表示部に上記複数の受光部が対向するように上記無線子機に対して近接して配置される本体と
を備えたことを特徴とする表示情報モニタ装置。
【請求項２】
請求項１に記載の表示情報モニタ装置において、
上記制御信号出力部は、
上記複数の受光部からの上記受光信号を択一的に選択して出力する選択スイッチと、
上記選択スイッチからの上記受光信号に基づいて上記音出力制御信号を出力するスイッチング素子と
を有することを特徴とする表示情報モニタ装置。
【請求項３】
請求項１に記載の表示情報モニタ装置において、
上記音源部は、上記制御信号出力部からの上記音出力制御信号に基づいて、音出力をオンオフするものであって、
上記制御信号出力部は、上記複数の受光部からの受光信号により表される上記無線子機の上記複数の表示部の点灯数または点灯パターンに応じて、上記音源部の上記音出力の断続パターンを制御するように、上記音出力制御信号を出力することを特徴とする表示情報モニタ装置。
【請求項４】
請求項１に記載の表示情報モニタ装置において、
上記音源部は、上記制御信号出力部からの上記音出力制御信号に基づいて、音出力の周波数を可変するものであって、
上記制御信号出力部は、上記複数の受光部からの受光信号により表される上記無線子機の上記複数の表示部の点灯数または点灯パターンに応じて、上記音源部の上記音出力の周波数を制御するように、上記音出力制御信号を出力することを特徴とする表示情報モニタ装置。
【発明の詳細な説明】
【技術分野】
【０００１】
この発明は、表示情報モニタ装置に関し、詳しくは、ガスメータ、水道メータ、センサ等の計器により計測された計測データの情報を確認する無線データ通信システムに用いられる表示情報モニタ装置に関する。
【背景技術】
【０００２】
従来、無線データ通信システムとしては、センター側網制御装置と通信回線を介して接続された端末機器と、その端末機器に内蔵された無線親機と、上記無線親機と無線回線を介して通信を行う複数の無線子機と、無線子機に接続されたガス、水道、電気等のメータや、センサを備えたものがある(例えば、特開２００４−３４１６４８号公報(特許文献１)参照)。
【０００３】
また、上記無線データ通信システムでは、端末機器の公衆回線網とのインターフェースは、一般電話回線網の制御装置であったり、移動体通信網であるＰＨＳ(Personal Handiphone System:パーソナル・ハンディホン・システム)網やＤＯＰＡ(登録商標)網やＦＯＡＭ(登録商標)網の制御装置であったり、インターネット網の制御装置であったりする。
【０００４】
このような無線データ通信システムの具体例を図５に示している。図５に示すように、各戸の電気メータ、ガスメータ、水道メータなどのメータ・センサ１５ａ〜１５ｎと夫々接続され、無線親機１３aと通信を行う無線子機１４ａ〜１４ｎが設置されている。また、この無線データ通信システムは、無線子機１４ａ〜１４ｎと、無線親機１３aを含む端末機器１３と、メータの検針やメータ・センサ１５ａ〜１５ｎからの計測データを処理するセンター側装置１１とを備えている。また、無線子機１４ａ〜１４ｎと無線親機１３aを含む端末機器１３とは、特定小電力無線を介して通信すると共に、端末機器１３とセンター側装置１１とは、公衆回線網の一つである移動体無線網１２を介して通信する。
【０００５】
また、端末機器１３は、主に移動体通信網を制御する機能ブロックと無線親機１３aからなる。上記メータ・センサ１５ａ〜１５ｎから起動が発生した場合は、まず無線子機１４ａ〜１４ｎから端末機器１３を起動し、端末機器１３は、移動体無線網１２の移動体無線基地局を起動して、移動体無線網１２を介したセンター側装置１１とのリンクが成功し、端末発呼通信が成立する。
【０００６】
一方、センター側装置１１から端末装置１に向けてのセンターポーリング通信を行う場合は、移動体無線基地局から端末機器１３に起動電波が到来し、この起動電波を端末機器１３は受信し、後方の無線子機１４ａ〜１４ｎ、メータ・センサ１５ａ〜１５ｎへと順番に起動し、移動体無線網１２を介したセンター側装置１１とのリンクが成功して、センターポーリング通信が成立する。
【０００７】
上記無線子機１４ａ〜１４ｎと無線親機１３aとの間の特定小電力の区間は、電波がある程度のレベル以上でないとデータエラーが発生し、通信が不成立となる。このために端末機器１３や無線子機１４ａ〜１４ｎを設置する場合には、端末機器１３の無線親機１３aと無線子機１４ａ〜１４ｎとの間の電波強度を測定し、ある閾値以上の電波強度を保持する場所に端末機器１３を設置する。このとき、無線親機１３aから電波を連続で発射し、無線子機１４ａ〜１４ｎ側で受信電波強度を測定し、ある所定の受信電波強度として決められた“強”、“中”、“弱”に対応した無線子機１４ａ〜１４ｎに夫々設けられたＬＥＤを点灯する。
【０００８】
この無線子機１４ａ〜１４ｎのＬＥＤをモニタするためにＬＥＤモニタ装置が用いられる。このＬＥＤモニタ装置は、無線子機１４がマンションのパイプシャフト内や壁面高所に取り付けられていて、無線子機１４の受信電波強度を表示するＬＥＤを直視できないときに利用するものである。
【０００９】
図６は上記ＬＥＤモニタ装置の回路図を示しており、３つのホトトランジスタ１０２ａ〜１０２ｃを有する受光ブロック１０２と、受光ブロック１０２にリード線１１６を介して接続されたＬＥＤドライブ回路部１０９ａ〜１０９ｃと、ＬＥＤドライブ回路部１０９ａ〜１０９ｃにより点灯されるＬＥＤ１０３ａ〜１０３ｃを備えている。ＬＥＤドライブ回路部１０９ａ〜１０９ｃ,ＬＥＤ１０３ａ〜１０３ｃ電源スイッチＳＷ,直流電源Ｅなどを本体１１０aに収納している。
【００１０】
このＬＥＤモニタ装置は、特定小電力無線の無線子機１４(図５に示す１４ａ〜１４ｎの１つ)の受信電波強度を４段階表示する３つのＬＥＤ１ａ〜１ｃの場所に、受光ブロック１０２を対向させて、受光ブロック１０２で検知したＬＥＤの点灯・消灯をそのままＬＥＤ１０３ａ〜１０３ｃにより表示するものである。
【００１１】
上記ＬＥＤモニタ装置では、例えばある壁の地上高２ｍまでの壁面に無線子機が設置されている場合は目視で確認できるが、集合住宅のガスメータが収められたパイプシャフト内に無線子機が設置されている場合は、パイプシャフトの扉を閉めるので、ＬＥＤモニタ装置の電波強度を示すＬＥＤ１０３ａ〜１０３ｃの表示を目視できない。
【００１２】
このときのために、図６に示すように、受光ブロック１０２とＬＥＤドライブ回路部１０９ａ〜１０９ｎとの間を接続するリード線１１６を設けて、本体１１０aをパイプシャフト外に出し、目視できない閉ざされた場所に設置された無線子機１４が受信する電波強度を確認している。
【００１３】
しかし、このリード線１１６の長さが１ｍ以上になると、多数の無線子機の受信電波強度を測定するときにリード線１１６が絡まって移動時に邪魔になるという問題がある。また、上記ＬＥＤモニタ装置のＬＥＤの輝度は、屋外の白昼下では目視認識ができない場合がある。また、上記ＬＥＤモニタ装置を無線子機の近くに設置した場合、人間が電波に影響するため、人間がＬＥＤモニタ装置の設置位置からできるだけ離れる必要があり、ＬＥＤ１０３ａ〜１０３ｃの表示が目視できなくなり、逆に、ＬＥＤ１０３ａ〜１０３ｃの表示を目視するためにＬＥＤモニタ装置に近づくと、無線子機の受信電波強度が正確に測定できなくなる。
【先行技術文献】
【特許文献】
【００１４】
【特許文献１】特開２００４−３４１６４８号公報
【発明の概要】
【発明が解決しようとする課題】
【００１５】
そこで、この発明の課題は、無線によるデータ通信を行う無線親機と無線子機とを備えた無線データ通信システムにおいて、目視によることなく、簡単な構成で無線子機の正確な受信電波強度を音で容易に確認できる表示情報モニタ装置を提供することにある。
【課題を解決するための手段】
【００１６】
上記課題を解決するため、この発明の表示情報モニタ装置は、
無線親機と通信を行うと共に、上記無線親機から受信した電波の受信電波強度を表示情報として表示するために夫々が点灯または消灯する複数の表示部を有する無線子機の上記複数の表示部からの光を夫々受光する複数の受光部と、
上記複数の受光部からの受光信号に基づいて音出力制御信号を出力する制御信号出力部と、
上記制御信号出力部からの上記音出力制御信号により上記無線子機の複数の表示部により表示された上記表示情報を表す音を出力する音源部と、
上記複数の受光部と上記制御信号出力部と上記音源部とが設けられ、上記無線子機の上記複数の表示部に上記複数の受光部が対向するように上記無線子機に対して近接して配置される本体と
を備えたことを特徴とする。
【００１７】
上記構成によれば、表示情報モニタ装置の複数の受光部と制御信号出力部と音源部とが設けられた本体は、無線子機の複数の表示部に複数の受光部が対向するように無線子機に対して近接して配置されているので、無線子機の複数の表示部が夫々点灯または消灯して、無線親機から受信した電波の受信強度を表示情報として表示すると、この表示情報モニタ装置の複数の受光部が無線子機の複数の表示部からの光を夫々受光する。その複数の受光部からの受光信号に基づいて制御信号出力部が音出力制御信号を出力して、その音出力制御信号により無線子機の表示情報を表す音が音源部から出力される。これによって、無線子機から離れた場所で無線子機の正確な受信電波を知ることが可能になる。したがって、簡単な構成で無線子機の正確な受信電波強度を音で容易に確認できる。
【００１８】
また、一実施形態の表示情報モニタ装置では、
上記制御信号出力部は、
上記複数の受光部からの上記受光信号を択一的に選択して出力する選択スイッチと、
上記選択スイッチからの上記受光信号に基づいて上記音出力制御信号を出力するスイッチング素子と
を有する。
【００１９】
上記実施形態によれば、制御信号出力部の選択スイッチによって、複数の受光部からの受光信号を択一的に選択して出力し、その選択された受光信号に基づいてスイッチング素子から音出力制御信号を出力することによって、無線子機の複数の表示部のうちの任意に選択された１つが点灯(または消灯)したときに無線子機の表示情報を表す音出力を音源部から出力することができる。
【００２０】
また、一実施形態の表示情報モニタ装置では、
上記音源部は、上記制御信号出力部からの上記音出力制御信号に基づいて、音出力をオンオフするものであって、
上記制御信号出力部は、上記複数の受光部からの受光信号により表される上記無線子機の上記複数の表示部の点灯数または点灯パターンに応じて、上記音源部の上記音出力の断続パターンを制御するように、上記音出力制御信号を出力する。
【００２１】
上記実施形態によれば、複数の受光部からの受光信号により表される無線子機の複数の表示部の点灯数または点灯パターンに応じて、音源部からの音出力をオンオフさせて音出力の断続パターンを制御するように、制御信号出力部から音出力制御信号を出力することによって、無線子機の複数の表示部の点灯数または点灯パターンの違いを音で聞き分けることが可能となる。これによって、無線子機の複数の表示部の点灯数または点灯パターンに応じた受信電波強度を音で知ることができる。
【００２２】
また、一実施形態の表示情報モニタ装置では、
上記音源部は、上記制御信号出力部からの上記音出力制御信号に基づいて、音出力の周波数を可変するものであって、
上記制御信号出力部は、上記複数の受光部からの受光信号により表される上記無線子機の上記複数の表示部の点灯数または点灯パターンに応じて、上記音源部の上記音出力の周波数を制御するように、上記音出力制御信号を出力する。
【００２３】
上記実施形態によれば、複数の受光部からの受光信号により表される無線子機の複数の表示部の点灯数または点灯パターンに応じて、音源部からの音出力の周波数を制御するように、制御信号出力部から音出力制御信号を出力することによって、無線子機の複数の表示部の点灯数または点灯パターンの違いを音で聞き分けることが可能となる。これによって、無線子機の複数の表示部の点灯数または点灯パターンに応じた受信電波強度を音で知ることができる。
【発明の効果】
【００２４】
以上より明らかなように、この発明の表示情報モニタ装置によれば、無線によるデータ通信を行う無線親機と無線子機とを備え、計器により計測された計測データを無線子機から無線親機に送信することにより遠隔計測を行うと共に、無線子機は、無線親機から受信した電波の受信電波強度を表示情報として表示するために夫々が点灯または消灯する複数の表示部を有する無線データ通信システムにおいて、簡単な構成で無線子機の正確な受信電波強度を音で容易に確認できる表示情報モニタ装置を実現することができる。
【図面の簡単な説明】
【００２５】
【図１】図１はこの発明の第１実施形態の表示情報モニタ装置と無線データ通信システムの構成図である。
【図２】図２は上記表示情報モニタ装置の回路図である。
【図３】図３はこの発明の第２実施形態の表示情報モニタ装置の回路図である。
【図４】図４はこの発明の第３実施形態の表示情報モニタ装置の回路図である。
【図５】図５は無線データ通信システムの構成図である。
【図６】図６は上記無線データ通信システムに用いられる従来のＬＥＤモニタ装置の回路図である。
【発明を実施するための形態】
【００２６】
以下、この発明の表示情報モニタ装置を図示の実施の形態により詳細に説明する。
【００２７】
〔第１実施形態〕
図１はこの発明の第１実施形態の表示情報モニタ装置１０と無線データ通信システムの構成図を示している。この無線データ通信システムは、無線子機のＬＥＤの数を除いて図５に示す無線データ通信システムと同一の構成をしており、同一の構成部に同一参照番号を付している。
【００２８】
この無線データ通信システムでは、図１に示すように、各戸の電気メータ、ガスメータ、水道メータなどのメータ・センサ１５ａ〜１５ｎが接続された無線子機１４ａ〜１４ｎと、無線子機１４ａ〜１４ｎと通信を行う無線親機１３aを含む端末機器１３と、メータ・センサ１５ａ〜１５ｎからの計測データを処理するセンター側装置１１とを備えている。また、無線子機１４ａ〜１４ｎと無線親機１３aを含む端末機器１３とは、特定小電力無線を介して通信すると共に、無線親機１３aを含む端末機器１３とセンター側装置１１とは、公衆回線網の一つである移動体無線網１２を介して通信する。
【００２９】
また、図２は上記表示情報モニタ装置１０の回路図を示している。なお、図２に示すように、無線子機１４(図１に示す１４ａ〜１４ｎの１つ)は、表示部の一例としての複数のＬＥＤ１ａ〜１ｎを備えている。この複数のＬＥＤ１ａ〜１ｎは、無線親機１３a(図１に示す)から受信した電波の受信強度を表示情報として表示するために夫々が点灯または消灯する。
【００３０】
そして、この第１実施形態の表示情報モニタ装置１０は、図２に示すように、無線子機１４の複数のＬＥＤ１ａ〜１ｎからの光を夫々受光する受光部の一例としての複数のホトトランジスタ２ａ,２ｂ,…,２ｎを有する受光ブロック２と、受光ブロック２の各ホトトランジスタ２ａ,２ｂ,…,２ｎからの受光信号を択一的に選択し、選択された受光信号に基づいて音出力制御信号を出力する選択スイッチ３と、その選択スイッチ３からの受光信号に基づいて音出力制御信号を出力するスイッチング素子の一例としてのトランジスタＱ１を有する音源ドライブ回路４と、音源ドライブ回路４からの音出力制御信号により無線子機１４の表示情報を表す音を出力する音源部５と、上記受光ブロック２の各ホトトランジスタ２ａ,２ｂ,…,２ｎのコレクタと音源部５の電源端子とに一端が接続された電源スイッチＳＷと、電源スイッチＳＷの他端に正極側が接続され、負極側がグランドに接続された直流電源Ｅと、上記受光ブロック２と選択スイッチ３と音源ドライブ回路４と音源部５と電源スイッチＳＷと直流電源Ｅとを収容する本体１０aとを備えている。
【００３１】
上記受光ブロック２のホトトランジスタ２ａ,２ｂ,…,２ｎのコレクタに電源スイッチＳＷの一端が接続され、ホトトランジスタ２ａ,２ｂ,…,２ｎのエミッタが選択スイッチ３の複数の入力端子に夫々接続されている。
【００３２】
また、上記音源ドライブ回路４は、選択スイッチ３からの受光信号が抵抗Ｒ１の一端が接続され、その抵抗Ｒ１の他端にＮＰＮ型のトランジスタＱ１のベースが接続され、トランジスタＱ１のエミッタがグランドに接続されている。さらに、トランジスタＱ１のベースとエミッタとの間に抵抗Ｒ２が接続され、トランジスタＱ１のコレクタから音出力制御信号が出力される。
【００３３】
上記選択スイッチ３と音源ドライブ回路４で制御信号出力部を構成している。
【００３４】
上記表示情報モニタ装置１０の本体１０ａは、図１に示す無線子機１４ａの複数のＬＥＤ１ａ〜１ｎ(図２に示す)に複数のホトトランジスタ２ａ,２ｂ,…,２ｎ(図２に示す)が対向するように無線子機１４ａに対して近接して配置される。
【００３５】
図１に示す無線データ通信システムでは、無線子機１４ａ〜１４ｎは、端末機器１３の無線親機１３aとの間でお互いに特定小電力無線による電波の送受信を行うため、無線親機１３aと無線子機１４ａ〜１４ｎとの間の上り下りともに同一の電波強度である。このため、通常は無線親機１３aから連続で電波を送信し、配下の多数の無線子機１４ａ〜１４ｎが電波受信モードに設定されて、受信電波強度を各無線子機１４ａ〜１４ｎに備えたＬＥＤ１ａ〜１ｎによりリアルタイムで表示する。
【００３６】
上記無線子機１４ａ〜１４ｎにおいて、例えば、電波強度を３段階の“強”、“中”、“弱”で表現する場合は、“強”のときは３個のＬＥＤ１ａ,ＬＥＤ１ｂ,ＬＥＤ１ｃを点灯し、“中”のときは２個のＬＥＤ１ｂ,ＬＥＤ１ｃを点灯し、“弱”のときは１個のＬＥＤ１ｃを点灯し、“電波無し”のときはＬＥＤ１ａ,ＬＥＤ１ｂ,ＬＥＤ１ｃを消灯する。
【００３７】
このとき、表示情報モニタ装置１０の選択スイッチ３により受光ブロック２のホトトランジスタ２ｂからの受光信号を選択して、無線子機１４ａ〜１４ｎの設置条件を２個以上のＬＥＤが点灯するように、すなわち、受信電波強度が“中”以上になるようにすると、ホトトランジスタ２ｂが動作して受光信号が出力され、選択スイッチ３を介して受光信号が音源ドライブ回路４に入力される。そうして、音源ドライブ回路４から音出力制御信号が出力されることにより、音源部５から音が発生する。
【００３８】
次に、受信電波強度が“弱”のときは、無線子機１４のＬＥＤ１ａとＬＥＤ１ｂが点灯せずにＬＥＤ１ｃが点灯するのみであるため、受光ブロック２のホトトランジスタ２ｂはオンしないので、音源ドライブ回路４から音出力制御信号が出力されず、音源部５から音は発生しない。
【００３９】
また、受信電波強度が“強”のときには、無線子機１４のＬＥＤ１ａ,ＬＥＤ１ｂ,ＬＥＤ１ｃのすべてが点灯するため、選択スイッチ３を受光ブロック２のホトトランジスタ２ｂに設定してあるので音源部５から音が発生し、受信電波強度が“中”以上であると認識できる。
【００４０】
これによって、受信電波強度が“中”以上であるか、受信電波強度が“弱”以下であるかが、表示情報モニタ装置１０の音により認識できる。
【００４１】
次に、表示情報モニタ装置１０の選択スイッチ３を受光ブロック２のホトトランジスタ２ａに設定すると、受信電波強度が“強”のときだけ音源部５から音が発生するため、受信電波強度が“強”であるか否かを見極めることができる。
【００４２】
上記構成の表示情報モニタ装置１０によれば、複数のホトトランジスタ２ａ,２ｂ,…,２ｎと制御信号出力部(選択スイッチ３と音源ドライブ回路４)と音源部５とが設けられた本体１０ａは、無線子機１４の複数のＬＥＤ１ａ〜１ｎに複数のホトトランジスタ２ａ,２ｂ,…,２ｎが対向するように無線子機１４に対して近接して配置されるので、無線子機１４のＬＥＤ１ａ〜１ｎが夫々点灯または消灯して、無線親機１３ａから受信した電波の受信強度を表示情報として表示すると、この表示情報モニタ装置１０のホトトランジスタ２ａ,２ｂ,…,２ｎが無線子機１４のＬＥＤ１ａ〜１ｎからの光を夫々受光する。そのホトトランジスタ２ａ,２ｂ,…,２ｎからの受光信号に基づいて制御信号出力部(選択スイッチ３と音源ドライブ回路４)が音出力制御信号を出力して、その音出力制御信号により無線子機１４の表示情報を表す音が音源部５から出力される。これによって、無線子機１４から離れた場所で無線子機１４の正確な受信電波を知ることが可能になる。したがって、簡単な構成で無線子機１４の正確な受信電波強度を音で容易に確認できる。
【００４３】
また、制御信号出力部の選択スイッチ３によって、複数の受光部からの受光信号を択一的に選択して出力し、その選択された受光信号に基づいて音源ドライブ回路４(スイッチング素子を含む)から音出力制御信号を出力することによって、無線子機１４のＬＥＤ１ａ〜１ｎのうちの任意に選択された１つが点灯したときに無線子機１４の表示情報を表す音出力を音源部５から出力することができる。
【００４４】
〔第２実施形態〕
図３はこの発明の第２実施形態の表示情報モニタ装置２０の回路図を示している。この第２実施形態の表示情報モニタ装置２０が用いられる無線データ通信システムは、第１実施形態の図１に示す無線データ通信システムと同一の構成をしている。
【００４５】
この第２実施形態の表示情報モニタ装置２０は、図３に示すように、無線子機１４の複数のＬＥＤ１ａ〜１ｎからの光を夫々受光する受光部の一例としての複数のホトトランジスタ２ａ,２ｂ,…,２ｎを有する受光ブロック２と、受光ブロック２の各ホトトランジスタ２ａ,２ｂ,…,２ｎからの受光信号が入力された制御信号出力部の一例としての制御部８と、その制御部８からの信号に基づいて音出力制御信号を出力する音源ドライブ回路４と、音源ドライブ回路４からの音出力制御信号により無線子機１４の表示情報を表す音を出力する音源部５と、上記受光ブロック２の各ホトトランジスタ２ａ,２ｂ,…,２ｎのコレクタと音源部５の電源端子とに一端が接続された電源スイッチＳＷと、電源スイッチＳＷの他端に正極側が接続され、負極側がグランドに接続された直流電源Ｅと、上記受光ブロック２と制御部８と音源ドライブ回路４と音源部５と電源スイッチＳＷと直流電源Ｅとを収容する本体２０aとを備えている。
【００４６】
上記制御部８は、マイクロコンピュータや入出力回路などからなり、受光ブロック２の各ホトトランジスタ２ａ,２ｂ,…,２ｎからの受光信号が入力される各入力端子とグランドとの間に抵抗Ｒａ,Ｒｂ,…,Ｒｎを夫々接続している。
【００４７】
上記第２実施形態の表示情報モニタ装置２０において、無線子機１４の点灯するＬＥＤ１ａ〜ＬＥＤ１ｎの個数に対応した音を音源部５から出力するように制御部８をプログラミングしておくことにより、無線子機１４に搭載のＬＥＤの点灯個数を識別し、図２に示す第１実施形態のように手動の選択スイッチＳＷを設けることなく、例えば３つのＬＥＤ１ａ〜ＬＥＤ１ｃで受信電波強度を表示する場合に自動で受信電波強度“強”、“中”、“弱”、“電波無し”を判断して、それぞれの受信電波強度に対応した音を鳴らすことができる。
【００４８】
上記構成の表示情報モニタ装置２０によって、簡単な構成で無線子機１４の正確な受信電波強度を音で容易に確認することができる。
【００４９】
また、複数のホトトランジスタ２ａ,２ｂ,…,２ｎからの受光信号により表される無線子機１４のＬＥＤ１ａ〜ＬＥＤ１ｎの点灯数に応じて、音源部５からの音出力をオンオフさせて音出力の断続パターンを制御するように、制御部８から音出力制御信号を出力することによって、無線子機のＬＥＤ１ａ〜ＬＥＤ１ｎの点灯数の違いを音で聞き分けることができる。したがって、無線子機１４のＬＥＤ１ａ〜ＬＥＤ１ｎの点灯数に応じた電波の受信強度を音で知ることができる。
〔第３実施形態〕
図４はこの発明の第３実施形態の表示情報モニタ装置３０の回路図を示している。この第３実施形態の表示情報モニタ装置３０が用いられる無線データ通信システムは、第１実施形態の図１に示す無線データ通信システムと同一の構成をしている。
【００５０】
この第３実施形態の表示情報モニタ装置３０は、図４に示すように、無線子機１４の複数のＬＥＤ１ａ〜１ｎからの光を夫々受光する受光部の一例としての複数のホトトランジスタ２ａ,２ｂ,…,２ｎを有する受光ブロック２と、受光ブロック２の各ホトトランジスタ２ａ,２ｂ,…,２ｎからの受光信号が入力された制御信号出力部の一例としての制御部３８と、その制御部３８からの複数の音出力制御信号により無線子機１４の表示情報を表す音を出力する音源部３５と、上記受光ブロック２の各ホトトランジスタ２ａ,２ｂ,…,２ｎのコレクタと音源部５の電源端子とに一端が接続された電源スイッチＳＷと、電源スイッチＳＷの他端に正極側が接続され、負極側がグランドに接続された直流電源Ｅと、上記受光ブロック２と制御部３８と音源部３５と電源スイッチＳＷと直流電源Ｅとを収容する本体３０aとを備えている。
【００５１】
上記制御部３８は、マイクロコンピュータや入出力回路などからなり、受光ブロック２の各ホトトランジスタ２ａ,２ｂ,…,２ｎからの受光信号が入力される各入力端子とグランドとの間に抵抗Ｒａ,Ｒｂ,…,Ｒｎを夫々接続している。また、制御部３８から出力される複数の音出力制御信号は、それぞれ音出力制御信号が音源部３５から出力される音の周波数に対応し、例えば複数の音出力制御信号のうちのいずれか１つがハイレベルになると、その音出力制御信号に対応する周波数の音が音源部３５から出力されるものであってもよいし、複数の音出力制御信号の組合せ(例えば２進数コード)に音源部３５から出力される音の周波数が対応するものでもよい。
【００５２】
上記第３実施形態の表示情報モニタ装置３０において、無線子機１４の点灯するＬＥＤ１ａ〜ＬＥＤ１ｎの個数に対応した周波数の音を音源部３５から出力するように制御部３８をプログラミングしておくことにより、無線子機１４に搭載のＬＥＤの点灯個数を識別し、図２に示す第１実施形態のように手動の選択スイッチＳＷを設けることなく、例えば３つのＬＥＤ１ａ〜ＬＥＤ１ｃで受信電波強度を表示する場合に自動で受信電波強度“強”、“中”、“弱”、“電波無し”を判断して、それぞれの受信電波強度に対応した周波数の音を鳴らすことができる。
【００５３】
上記構成の表示情報モニタ装置３０によって、簡単な構成で無線子機１４の正確な受信電波強度を音で容易に確認することができる。
【００５４】
また、複数のホトトランジスタ２ａ,２ｂ,…,２ｎからの受光信号により表される無線子機１４のＬＥＤ１ａ〜ＬＥＤ１ｎの点灯数に応じて、音源部３５からの音出力の周波数を制御するように、制御部３８から音出力制御信号を出力することによって、無線子機１４のＬＥＤ１ａ〜ＬＥＤ１ｎの点灯数の違いを音で聞き分けることができる。したがって、無線子機１４のＬＥＤ１ａ〜ＬＥＤ１ｎの点灯数に応じた電波の受信強度を音で知ることができる。
【００５５】
この発明の表示情報モニタ装置によると、集合住宅などのガスメータや水道メータが収められているパイプシャフト内に無線子機が収納されている場合、受信電波強度を表示する無線子機本体に搭載のＬＥＤの点灯が目視確認できないが、ＬＥＤの点灯状態に応じて音を鳴らすことにより、遠隔で受信電波強度を音で容易に確認することができる。また、人間が無線子機から電波が影響しない場所まで離れることが可能になるため、正確な受信電波強度を確認することができる。また、別体の受光部と本体とを接続するようなリード線が無いために、多数の無線子機について受信電波強度を測定して移動するときにリード線が絡まるという問題がなく、また、そのリード線を整理するための時間ロスもなくなる。
【００５６】
上記第１〜第３実施形態では、無線子機１４ａ〜１４ｎのＬＥＤ１ａ〜１ｎの点灯数に応じた受信電波強度を表したが、点灯数でなく点灯パターンなどにより受信電波強度を表してもよい。また、無線子機の受信電波強度を表す表示部の数は、３以上に限らず、２つの表示部でもよく、その場合は、表示情報モニタ装置の受光部は２つとなる。
【００５７】
また、上記第２,第３実施形態では、無線子機１４のＬＥＤ１ａ〜ＬＥＤ１ｎの点灯数に応じて、音源部５からの音出力をオンオフさせて音出力の断続パターンを制御したり、無線子機１４のＬＥＤ１ａ〜ＬＥＤ１ｎの点灯数に応じて、音源部３５からの音出力の周波数を制御したりしたが、無線子機の複数の表示部により表示された表示情報を、音源部から出力される音の音色などにより識別できるようにしてもよい。
【００５８】
この発明の具体的な実施の形態について説明したが、この発明は上記実施の形態に限定されるものではなく、この発明の範囲内で種々変更して実施することができる。
【符号の説明】
【００５９】
１ａ〜１ｎ…ｌＥＤ
２…受光ブロック
２ａ〜２ｎ…ホトトランジスタ
３…選択スイッチ
４…音源ドライブ回路
５,３５…音源部
１０,２０,３０…表示情報モニタ装置
１０a,２０a,３０a…本体
１１…センター側装置
１２…移動体無線網
１３…端末機器
１３ａ…無線親機
１４,１４ａ〜１４ｎ…無線子機
ＳＷ…電源スイッチ
Ｅ…直流電源
【図１】
2011166575.tif 000003
【図２】
2011166575.tif 000004
【図３】
2011166575.tif 000005
【図４】
2011166575.tif 000006
【図５】
2011166575.tif 000007
【図６】
2011166575.tif 000008